(57)【要約】【課題】  使用者が直感的に且つ誤認せずに操作手段を使用態様毎に特定でき、しかも操作が容易で低コストである血圧計を提供する。【解決手段】  血圧計１は、測定部位に装着するカフ５と各種スイッチからなる操作部１０を備える。操作部１０は、電源Ａスイッチ１１及び電源Ｂスイッチ１２と、記憶呼出スイッチ１５とを有する。スイッチ１１には固有名称（家族内の構成単位名称）付の使用態様特定手段として“父”が表示されたスイッチカバー５０が、スイッチ１２には同“母”が表示されたスイッチカバー５１が脱着可能に取り付けられている。使用者（父又は母）が専用のスイッチ１１又は１２をオンすることで、当該血圧計１が父又は母用となる。また、使用者が電源オンの状態で記憶呼出スイッチ１５を押すことで、本人の測定データがメモリから読み出されて表示器７に表示される。【選択図】      図９
2007185351.tif 000002
【特許請求の範囲】
【請求項１】
血圧測定部位に装着する腕帯と、腕帯に加える圧力を調整する加圧・減圧手段と、腕帯内の圧力を検出する圧力検出手段と、圧力検出手段で得られた信号より血圧値を含む測定データを算出する測定データ算出手段と、算出された測定データを記憶する記憶手段と、測定データを表示する表示手段と、各種操作を行うための操作手段とを備えた血圧計において、
前記操作手段もしくは操作手段近傍に前記操作手段の複数の使用態様のうちから使用態様を特定する使用態様特定手段を脱着可能に設け、この使用態様特定手段には使用態様を具体的に表現する固有名称を付与し、前記測定データを使用態様特定手段で特定される使用態様毎に記憶手段に読み出し可能に記憶するようにしたことを特徴とする血圧計。
【請求項２】
前記記憶手段に記憶された測定データを前記使用態様特定手段で使用態様を特定された操作手段の操作に応じて使用態様毎に読み出して表示手段に表示することを特徴とする請求項１記載の血圧計。
【請求項３】
前記使用態様特定手段で使用態様を特定された操作手段は電源入／切スイッチであることを特徴とする請求項１又は請求項２記載の血圧計。
【請求項４】
前記使用態様特定手段で使用態様を特定された操作手段は記憶呼出スイッチであることを特徴とする請求項１又は請求項２記載の血圧計。
【請求項５】
前記使用態様特定手段で使用態様を特定された操作手段は測定開始／停止スイッチであることを特徴とする請求項１又は請求項２記載の血圧計。
【請求項６】
前記使用態様特定手段で使用態様を特定された操作手段は測定値を記憶する／しないの選択スイッチであることを特徴とする請求項１又は請求項２記載の血圧計。
【請求項７】
前記固有名称は人名であることを特徴とする請求項１又は請求項２記載の血圧計。
【請求項８】
前記固有名称は家族内の構成単位名称であることを特徴とする請求項１又は請求項２記載の血圧計。
【請求項９】
前記固有名称は測定条件であることを特徴とする請求項１又は請求項２記載の血圧計。
【発明の詳細な説明】
【技術分野】
【０００１】
本発明は、腕（特に上腕）、手首、指等にカフ（腕帯）を装着して血圧測定する血圧計（特に電子血圧計）に関する。
【背景技術】
【０００２】
近年血圧管理の重要性が注力されており、その中においても家庭血圧が重要視され、家庭での血圧計の使用が増加している。家族等において一台の血圧計を複数人で使用する際、記憶された測定結果が混在すると正しい血圧管理を行うことができなくなる。よって、測定結果の記憶領域の選択は重要であり、その識別手段は簡単でわかりやすいことが必要とされる。従来の使用者識別手段には、次に示すようなものがある。
１）測定結果を本人の記憶領域に確実に記憶させるために、識別記号と識別記号の切り替え手段を設け、さらに測定時や記憶値を表示する際に、測定結果や記億値と共に識別記号を点灯、点滅させるように構成した血圧計（例えば、特許文献１参照）。
２）在宅健康管理システムにおいて、各処理モードが順次表示され、各処理モードを使用者が順次選択可能となるようにするとともに、文字を読み取るためのスキャナを具備し、メンバーの健康保険証の内容をスキャナで読み取ることにより使用者の登録を容易に行うように構成した在宅健康管理システム（例えば、特許文献２参照）。
３）識別データに基づいて該当受診者の現在及び過去のバイタル情報を蓄積したバイタル情報のなかから検索したのち、その検索したバイタル情報を入力条件として論理演算して、受診者に対するアドバイスを決定し、その検索したバイタル情報及びそのアドバイスを提示するように構成した健康状態判断装置（例えば、特許文献３参照）。 
【特許文献１】特開２００２−２７２６８６号公報
【特許文献２】特開平９−１４０７４８号公報
【特許文献３】特開平１０−１１８０３７号公報
【発明の開示】
【発明が解決しようとする課題】
【０００３】
しかしながら、このような従来の使用者識別手段にあっては、
１）識別記号が例えば“Ａ”、“Ｂ”や“Ｍ１”、“Ｍ２”と抽象的であるため、各使用者が、どの識別記号を使用しているか直感的に認識することが困難であり、測定時に間違った識別記号を選択してしまうことで本人の測定結果と他人の測定結果が混在してしまう。
２）健康保険証の内容をスキャナで読み取ってメンバー登録するなどの操作が複雑であり、かつスキャナ、読み取り・登録のためのソフト等、システムとしての規模が大きいためコスト高となる。
３）１）と２）の両方の問題点を含む。
といった問題点が発生する。
【０００４】
従って、本発明は、そのような問題点に着目してなされたもので、使用者が直感的に且つ誤認せずに操作手段を使用態様毎に特定でき、しかも操作が容易で低コストである血圧計を提供することを目的とする。
【課題を解決するための手段】
【０００５】
前記目的を達成するために、本発明の血圧計は、血圧測定部位に装着する腕帯と、腕帯に加える圧力を調整する加圧・減圧手段と、腕帯内の圧力を検出する圧力検出手段と、圧力検出手段で得られた信号より血圧値を含む測定データを算出する測定データ算出手段と、算出された測定データを記憶する記憶手段と、測定データを表示する表示手段と、各種操作を行うための操作手段とを備えたものにおいて、前記操作手段もしくは操作手段近傍に前記操作手段の複数の使用態様のうちから使用態様を特定する使用態様特定手段を脱着可能に設け、この使用態様特定手段には使用態様を具体的に表現する固有名称を付与し、前記測定データを使用態様特定手段で特定される使用態様毎に記憶手段に読み出し可能に記憶するようにしたことを特徴とする。
【０００６】
この血圧計において、記憶手段に記憶された測定データを、使用態様特定手段で使用態様を特定された操作手段の操作に応じて使用態様毎に読み出して表示手段に表示することが好ましい。
【０００７】
また、使用態様特定手段で使用態様を特定された操作手段は、例えば電源入／切スイッチ、記憶呼出スイッチ、測定開始／停止スイッチ、測定値を記憶する／しないの選択スイッチである。
【０００８】
更に、固有名称は、例えば人名（太郎、次郎、健二、ゆり、花子、京子等）、家族内の構成単位名称（祖父、祖母、父、母、兄、弟、姉、妹等）、測定条件（朝、夜、食事前、食事後、起床後、就寝前、運動前、運動後、服用前、服用後等）である。
【０００９】
ここで、本発明において使用態様とは、使用者（上記父、母、健二、ゆり等の各使用者を特定する名称）であったり、測定条件（上記朝、夜、食事前、食事後等の測定したときの時点又は時間を特定する件名）であったりというように異なる複数の態様を意味するものである。
【発明の効果】
【００１０】
本発明によれば、次の効果が得られる。
（１）固有名称を付与した使用態様特定手段を操作手段又は操作手段近傍に設けてあるので、使用者は使用態様毎に直感的に操作手段を特定することができ、誤操作をする恐れが無い。従って、測定データを使用態様毎に確実に記憶・管理することと、記憶された測定データを使用態様毎に確実に呼び出すことが可能となる。
（２）使用態様特定手段を設けることで、従来の血圧計の構成を維持しつつ、上記（１）の効果を低コストで得ることが可能となる。
（３）使用態様特定手段が脱着可能であるため、使用態様の変更が容易である。
（４）使用態様特定手段に固有名称を付与してあるので、様々な使用態様に対して適用が可能となり、汎用性が高まる。
【発明を実施するための最良の形態】
【００１１】
以下、本発明を実施形態に基づいて説明する。
【００１２】
その一実施形態に係る血圧計（特に電子血圧計）の外観斜視図を図１に示す。
【００１３】
この血圧計１は、本体２と、この本体２に開閉可能に取り付けられたカバー３とを有し、本体２の係合穴２ａにカバー３のフック３ａを係脱することでカバー３が本体２に対して開閉される。本体２には測定部位として例えば腕（特に上腕）に巻き付けるカフ５が収納され、最高血圧、最低血圧、脈拍等を表示する表示器７と、各種操作を行うための操作手段としての複数のスイッチからなる操作部１０とが設けられている。
【００１４】
操作部１０は、この実施形態では、電源Ａスイッチ１１と、電源Ｂスイッチ１２と、測定／停止スイッチ（測定開始／停止スイッチ）１３と、時計設定スイッチ１４と、記憶呼出スイッチ１５とからなる。
【００１５】
電源Ａスイッチ１１及び電源Ｂスイッチ１２は、電源をオン／オフするためのスイッチと、電源オンから当該スイッチ１１又は１２が再操作されて電源オフされるまで、この血圧計１をそれぞれ使用者Ａ用又はＢ用として使用することを設定するスイッチとを兼ねるものである。複数の使用者（使用者Ａ，Ｂ）毎の電源スイッチ（スイッチ１１，１２）を設けることで、複数の使用者のうちからどの使用者が使用するのかを特定することができる。例えば、電源Ａスイッチ１１が操作されて電源がオンしている状態で、記憶呼出スイッチ１５が押されると、使用者Ａに関する過去の測定データ（最高血圧、最低血圧、脈拍、測定月、日、時、分等）が後述のメモリ３１から読み出されて表示器７に表示される。
【００１６】
測定／停止スイッチ１３は測定を開始又は停止するためのもので、時計設定スイッチ１４は現在の月、日、時、分を設定又は変更するためのものである。記憶呼出スイッチ１５は、メモリ３１に記憶されている過去の測定データを、電源Ａスイッチ１１又は電源Ｂスイッチ１２で指定されている使用者Ａ又はＢのみの最新のものより操作毎に読み出して表示器７に表示するためのものである。
【００１７】
なお、図１では、電源Ａスイッチ１１及び電源Ｂスイッチ１２には使用態様を具体的に表現する固有名称は付与されていないが、固有名称の具体例については後述する。
【００１８】
この血圧計１の構成ブロック図を図２に示す。カフ５は、空気流路（チューブ）２０を通じて、カフ５の圧力を検出する圧力センサ２１と、カフ５に空気を送るポンプ２２と、カフ５の送気・排気を行うための弁２３とに接続されている。圧力センサ２１は発振回路２４を介してＣＰＵ３０に接続され、圧力検出信号がＣＰＵ３０に取り込まれる。ポンプ２２はポンプ駆動回路２５を介してＣＰＵ３０に接続され、ＣＰＵ３０からの指令に基づいてポンプ駆動回路２５により駆動される。弁２３は弁駆動回路２６を介してＣＰＵ３０に接続され、ＣＰＵ３０からの指令に基づいて弁駆動回路２６により駆動される。表示器７は、例えばＬＣＤであり、ＣＰＵ３０の指令により最高血圧、最低血圧、脈拍等の測定データやその他の必要な情報を表示する。ＣＰＵ３０は、圧力センサ２１で得られたカフ圧信号より最高血圧、最低血圧、脈拍等の測定データを算出する機能等を有する。メモリ（ＲＡＭ）３１は、算出された血圧値や血圧値に基づく統計値等の測定データを使用態様毎に読み出し可能に記憶する。
【００１９】
次に、上記のように構成した血圧計１の血圧測定処理について説明する。図３は測定処理を示す一般的なフロー図、図４は電源がオンされている状態で記憶呼出スイッチ１５がオンされるときの処理を示すフロー図である。
【００２０】
図３のフロー図において、使用者（仮に使用者Ａとする）がカフ５を腕に装着し、電源Ａスイッチ１１を押すと、電源がオンになる。これにより、この血圧計１は使用者Ａ用となる。
【００２１】
まず、ステップＳＴ１において、使用者Ａが測定／停止スイッチ１３を押すと、ステップＳＴ２において、初期化を行い、ステップＳＴ３において、弁２３を閉じるとともに、ポンプ２２の駆動によりカフ５に空気を供給し、カフ加圧を開始する。この加圧によりカフ圧が所定圧に達すると、ステップＳＴ４において、ポンプ２２を停止し、弁２３を徐々に開いて、カフ圧を一定の速度で減じるカフ減圧を開始する。次のステップＳＴ５においては、そのカフ減圧過程でカフ圧の変化から脈波波形を抽出し、これに基づいて最高血圧、最低血圧を算出する。
【００２２】
測定が終了すると、弁２３を完全に開いて、カフ５を急速排気する。その後、ステップＳＴ６において、算出した最高血圧、最低血圧、脈拍を測定時の月、日、時、分とともに表示器７に表示し、ステップＳＴ７において、その最高血圧、最低血圧、脈拍を月、日、時、分とともにメモリ３１に記憶し、測定を終了する。記憶時には、この血圧計１が使用者Ａ用であるため、最高血圧、最低血圧、脈拍、月、日、時、分等の測定データは使用者Ａのものとして取り扱われる。
【００２３】
なお、上記血圧測定処理は、この種の電子血圧計で実施される従来の処理方法と特に変わるところはない。また、上記血圧測定処理の説明では、カフ減圧過程で測定を行う例であるが、カフ加圧過程で測定を行ってもよい。
【００２４】
次に、記憶呼出処理について図４のフロー図を参照して説明する。ここでの使用態様は使用者Ａとする。ステップＳＴ１１において、電源Ａスイッチ１１が操作され、電源がオンされている状態で、使用者Ａが記憶呼出スイッチ１５を押すと、ステップＳＴ１２において、前記したように使用者Ａに関する最新のデータ（最高血圧、最低血圧、脈拍、月、日、時、分）をメモリ３１から呼び出し、ステップＳＴ１３において、その呼び出した最新のデータを表示器７に表示する。
【００２５】
次のステップＳＴ１４においては、使用者Ａが記憶呼出スイッチ１５を更に押したかどうか判定する。この判定がＹＥＳのときは、ステップＳＴ１５において、過去（前回）のデータをメモリ３１から読み出し、ステップＳＴ１３において、その読み出した過去のデータを表示器７に表示する。このステップＳＴ１３〜ＳＴ１５により、記憶呼出スイッチ１５を押すたびにメモリ３１から過去のデータが順に読み出されて（過去のデータに更新されて）表示器７に表示される。一方、ステップＳＴ１４の判定がＮＯのときは、当該処理を終了する。
【００２６】
メモリ３１に記憶される測定データは、例えば図５に示す通りである。図５に示すメモリの記憶データ構成によると、１回の測定（図３のステップＳＴ７）では、ＳＢＰ（最高血圧）、ＤＢＰ（最低血圧）、ＰＬＳ（脈拍）、測定時の月、日、時、分が記憶され、これらの測定データが測定のたびに最新データから過去のデータに向かって順に蓄積される（ＳＢＰ１、ＤＢＰ１、ＰＬＳ１、月１、日１、時１、分１、……、ＳＢＰｍ、ＤＢＰｍ、ＰＬＳｍ、月ｍ、日ｍ、時ｍ、分ｍ）。この場合は、測定データのうち、月、日、時、分が固有名称としての測定条件に係るもので、例えば後記測定条件の“朝”又は“夜”が選択されると、“朝”又は“夜”に関する時間帯の測定データが読み出される。この詳細は、別実施形態として後述する。
【００２７】
図５に示すメモリ３１の記憶データ例を使用者Ａの測定データとして、図７に示すように使用者Ａ記憶領域３１Ａに記憶し、対応する使用者Ｂの測定データを図７に示す使用者Ｂ記憶領域３１Ｂに記憶しておくとよい。そして、ステップＳＴ１２の最新記憶データの呼び出し、ステップＳＴ１５の記憶データの更新（呼出）は、使用者Ａの場合は図７の使用者Ａ記憶領域３１Ａから、使用者Ｂの場合は図７の使用者Ｂ記憶領域３１Ｂからそれぞれ必要なデータを読み出せばよい。
【００２８】
測定データの別の記憶例を図６に示す。このメモリの記憶データ構成では、１回の測定において、ＳＢＰ（最高血圧）、ＤＢＰ（最低血圧）、ＰＬＳ（脈拍）の他に、使用態様特定手段に係る使用者Ａ又は使用者Ｂを示すコードが記憶される。但し、記憶番号１，２，……，ｍは使用者Ａ，Ｂに関係なく測定のたびに順に付与される。この場合、記憶呼出スイッチ１５が押されると、電源Ａスイッチ１１又は電源Ｂスイッチ１２の押された方に応じて使用者Ａ又はＢに係るデータのみが読み出され、表示器７に表示される。
【００２９】
すなわち、電源Ａスイッチ１１がオンされている状態で、使用者Ａが記憶呼出スイッチ１５を押すと、使用者Ａに係る最新のデータであるＳＢＰ１、ＤＢＰ１、ＰＬＳ１が読み出されて表示器７に表示され、記憶呼出スイッチ１５をもう一回押すと、使用者Ａに係る前回のデータであるＳＢＰ３、ＤＢＰ３、ＰＬＳ３が読み出されて表示器７に表示される。一方、電源Ｂスイッチ１２がオンされている状態で、使用者Ｂが記憶呼出スイッチ１５を押すと、使用者Ｂに係る最新のデータであるＳＢＰ２、ＤＢＰ２、ＰＬＳ２が読み出されて表示器７に表示され、記憶呼出スイッチ１５をもう一回押すと、使用者Ｂに係る前回のデータであるＳＢＰ５、ＤＢＰ５、ＰＬＳ５が読み出されて表示器７に表示される。
【００３０】
更に測定データの別の記憶例を図７に示す。このメモリの記憶データ構成では、上記のように予めメモリ３１において使用者Ａ，Ｂごとに専用の記憶領域３１Ａ，３１Ｂが用意されており、使用者Ａの測定データは使用者Ａ記憶領域３１Ａに蓄積され、使用者Ｂの測定データは使用者Ｂ記憶領域３１Ｂに蓄積される。この場合は、電源Ａスイッチ１１がオンされている状態で、使用者Ａが記憶呼出スイッチ１５を押すと、使用者Ａ記憶領域３１Ａから最新のデータが読み出されて表示器７に表示され、電源Ｂスイッチ１２がオンされている状態で、使用者Ｂが記憶呼出スイッチ１５を押すと、使用者Ｂ記憶領域３１Ｂから最新のデータが読み出されて表示器７に表示される。勿論、スイッチ１１又は１２を押すたびに各々の記憶領域３１Ａ又は３１Ｂから過去のデータが順に読み出されて表示器７に表示される。
【００３１】
次に、操作部１０もしくは操作部１０近傍に脱着可能に設けられた使用態様特定手段の具体例について説明する。図１では、電源Ａスイッチ１１及び電源Ｂスイッチ１２が設けられ、それぞれ“Ａ”、“Ｂ”の表示がされているが、このスイッチ１１，１２に使用態様特定手段を脱着可能に設けるとともに、その使用態様を具体的に表現する固有名称を付与する場合は、例えば次のようにする。
【００３２】
図８はスイッチ１１，１２に脱着可能に取り付ける固有名称付の使用態様特定手段としてのスイッチカバーを示す。図８の（ａ）に示す例では、スイッチカバー５０の裏側に突設された軸部５５をスイッチ（電源スイッチ）４０に形成された嵌入孔４１に嵌合することで、図８の（ｂ）に示す例では、スイッチカバー５０の裏面に設けられた粘着剤５６によりスイッチ４０に貼着することで、いずれもスイッチカバー５０がスイッチ４０に脱着可能に取り付けられる。但し、図８には示していないが、スイッチカバー５０の表面には、後記のように使用態様を具体的に表現する固有名称が記載されている。
【００３３】
図９の（ａ）は、図８のスイッチカバー５０を取り付ける前の状態を示し、図９の（ｂ）は取り付け後の状態を示す。但し、表示器７の横には、電源Ａスイッチ１１又は電源Ｂスイッチ１２のいずれを選択したか（押したか）を表示する使用者区別表示部７ａが設けられており、スイッチ１１又は１２の操作に応じて“Ａ”又は“Ｂ”が表示される（図では“Ａ”表示）。
【００３４】
図９の（ａ）の取付前の状態では、電源Ａスイッチ１１又は電源Ｂスイッチ１２がそのままの状態であり、固有名称付の使用態様特定手段が設けられていないが、図９の（ｂ）のように家族内の構成単位名称として“父”（使用者は父）が表示されたスイッチカバー５０をスイッチ１１に、同“母”（使用者は母）が表示されたスイッチカバー５１をスイッチ１２に取り付けることで、スイッチ１１，１２が“父”、“母”専用に特定されることになる。従って、使用者（父）は“父”の表示側のスイッチ１１を、使用者（母）は“母”の表示側のスイッチ１２を容易に認識することができ、電源オン時にスイッチカバー５０付のスイッチ１１を操作すると当該血圧計が“父”専用に、スイッチカバー５１付のスイッチ１２を操作すると当該血圧計が“母”専用になり、各自の測定データが各々の記憶領域に記憶される。なお、図９の（ｂ）では、使用者（父）が“父”の表示側のスイッチ１１を押したことにより、使用者区別表示部７ａに“Ａ”が表示されている。
【００３５】
このように、使用者Ａの“Ａ”を例えば“父”と表示し、使用者Ｂの“Ｂ”を例えば“母”と表示し、使用者の別を固有名称で示すことが本発明の大きな特徴の１つである。これにより、使用者が測定時に操作部１０を誤認操作するようなことがなくなり、各自の測定データが本人の記憶領域に確実に記憶される。
【００３６】
図１０の（ａ）は更に別実施形態を示す。ここでは、電源Ａスイッチ１１及び電源Ｂスイッチ１２が上下に設けられており、スイッチ１１，１２に図示のようなスイッチカード６０を脱着可能に差し込むことで、スイッチ１１が“父”用に、図示しないがスイッチ１２が“母”用になる。図１０の（ｂ）では、スイッチカード６５をスイッチ４０の差込溝４３に脱着可能に差し込むことで、スイッチ４０が“祖母”用となる。スイッチカード６０，６５に表示された“父”、“祖母”の名称は、予め記入されていてもよいし、使用者がサインペン等で記入してもよい。
【００３７】
図１１は更に別実施形態を示す。図１１の（ａ）では、固有名称付の使用態様特定手段が設けられていない状態、すなわち電源Ａスイッチ１１には“Ａ”が、電源Ｂスイッチ１２には“Ｂ”が表示されているだけであるが、図１１の（ｂ）のようにスイッチ１１，１２の上に固有名称を記入したシール７０，７１を貼付することで、スイッチ１１，１２の使用態様がより明確に特定される。つまり、シール７０には人名として“健二”が表示され、シール７１には同“ゆり”が表示されているので、スイッチ１１が“健二”用に、スイッチ１２が“ゆり”用になる。ここでも、シール７０，７１には使用者が個人名をサインペン等で記入すればよい。
【００３８】
上記実施形態の図９に示すスイッチカバー５０，５１、図１０のスイッチカード６０，６５、図１１のシール７０，７１は、予め使用が予測される父、母、夫、妻、祖父、祖母、長男、長女、……等については、印刷したもの（スイッチカバー、スイッチカード、シール等）を商品毎に付設するとともに、図１１の（ｂ）の例の健二、ゆり、……等、購入者によって変わるもの用に、無記名のものを複数個添付しておくとよい。
【００３９】
図１２は更に別実施形態を示す。図１２では、図１０と同様にスイッチ１１，１２が上下に並んでいるが、測定条件として“朝”が表示されたスイッチカード８０がスイッチ１１に脱着可能に差し込まれ、同“夜”が表示されたスイッチカード８１がスイッチ１２に脱着可能に差し込まれている。これにより、使用者は測定データを朝、夜の異なる測定条件ごとに分けて記憶・管理することができる。
【００４０】
この場合の記憶呼出処理では、図１２に示すように電源Ａスイッチ１１は“朝”用に設定され、電源Ｂスイッチ１２は“夜”用に設定されているので、スイッチ１１又は１２をオンにした状態で、記憶呼出スイッチ１５を押すと、図５に基づいて前述したように“朝”又は“夜”に係る最新の測定データであるＳＢＰ、ＤＢＰ、ＰＬＳ、月、日、時、分が読み出され、表示器７に表示される。ここから更に記憶呼出スイッチ１５を押すたびに、過去の“朝”又は“夜”に係るＳＢＰ、ＤＢＰ、ＰＬＳ、月、日、時、分が順に読み出され、表示器７に表示される。
【００４１】
この場合、図６や図７のようなメモリの記憶データ構成であっても、朝測定する時には“朝”用に設定されている電源Ａスイッチ１１を押し、夜測定する時には“夜”用に設定されている電源Ｂスイッチ１２を押すように、使用者が測定条件ごとにスイッチを選択して測定結果を記憶することで測定条件の異なる測定結果を一つの血圧計で管理することができる。
【００４２】
図１３は更に別実施形態を示す。図１３では、電源Ａスイッチ１１及び電源Ｂスイッチ１２の他に、記憶呼出（記憶読出）用として記憶呼出Ａスイッチ１５ａ、記憶呼出Ｂスイッチ１５ｂが設けられ、これら記憶呼出Ａスイッチ１５ａ、記憶呼出Ｂスイッチ１５ｂの“Ａ”、“Ｂ”の表示の代わりに、“父”、“母”が表示されたスイッチカード９０，９１がスイッチ１５ａ，１５ｂに脱着可能に取り付けられている〔図１３の（ｂ）〕。
【００４３】
この場合、使用者Ａが父であるなら、電源をオンにするときは電源Ａスイッチ１１を押し、自分の測定データを確認するときは記憶呼出Ａスイッチ１５ａを押すようにする。なお、図１３では、時計変更スイッチ１６が設けられている。
【００４４】
図１４は更に別実施形態を示す。図１４では、電源スイッチは１個（図示せず）であるが、測定値を記憶する／しないの選択スイッチとして、記憶書込と記憶呼出（読出）を兼ねる記憶書込／呼出Ａスイッチ１５ａ、記憶書込／呼出Ｂスイッチ１５ｂが設けられ、スイッチ１５ａ，１５ｂに“父”、“母”付のスイッチカード９２，９３が脱着可能に取り付けられている〔図１４の（ｂ）〕。
【００４５】
この場合、測定後、測定データが表示器７に表示されているときに記憶書込／呼出Ａスイッチ１５ａ又は記憶書込／呼出Ｂスイッチ１５ｂを押すと、表示されている測定データが使用者である父又は母の記録としてメモリ３１に記憶される。また、測定データが表示器７に表示されていないときに記憶書込／呼出Ａスイッチ１５ａ又は記憶書込／呼出Ｂスイッチ１５ｂを押すと、メモリ３１に記憶されている父又は母の測定データが表示器７に表示される。
【００４６】
なお、電源スイッチを設けずに、測定／停止スイッチ１３や記憶書込／呼出Ａスイッチ１５ａ又は記憶書込／呼出Ｂスイッチ１５ｂに電源スイッチの機能を兼用させてもよい。この場合、例えば測定／停止スイッチ１３を押すだけで電源が立ち上がり、測定が開始されてもよい。また、測定データが表示器７に表示されていないときに記憶書込／呼出Ａスイッチ１５ａ又は記憶書込／呼出Ｂスイッチ１５ｂを押すだけで電源が立ち上がり、メモリ３１に記憶されている父又は母の測定データが表示器７に表示されてもよい。
【００４７】
図１５は更に別実施形態を示す。図１５では、電源スイッチは１個（図示せず）であるが、記憶呼出を兼ねる測定／停止Ａスイッチ１３ａ、測定／停止Ｂスイッチ１３ｂが設けられ、スイッチ１３ａ，１３ｂに“父”、“母”付のスイッチカード９４，９５が脱着可能に取り付けられている〔図１５の（ｂ）〕。
【００４８】
この場合、測定時、使用者Ａ“父”であれば測定／停止Ａスイッチ１３ａを、使用者Ｂ“母”であれば測定／停止Ｂスイッチ１３ｂを押すと、測定が開始され、測定後、使用者Ａ，Ｂの測定データが自動的に父、母の記録としてメモリ３１に記憶される。また、使用者Ａ，Ｂが各自の測定データを読み出すときは、測定／停止Ａスイッチ１３ａ又は測定／停止Ｂスイッチ１３ｂを長押しすると、メモリ３１に記憶されている使用者Ａ又はＢ（父又は母）の測定データが表示器７に表示される。
【００４９】
この実施形態でも、電源スイッチを設けずに、測定／停止Ａスイッチ１３ａ、測定／停止Ｂスイッチ１３ｂに電源スイッチの機能を兼用させてもよい。この場合、測定／停止Ａスイッチ１３ａ又は測定／停止Ｂスイッチ１３ｂを押すだけで電源が立ち上がり測定が開始されたり、メモリ３１に記憶されている使用者Ａ又はＢ（父又は母）の測定データが表示器７に表示されてもよい。
【００５０】
なお、上記実施形態では、使用態様特定手段で特定された使用態様は２種類（父−母、健二−ゆり、朝−夜）であるが、３種類以上でも構わず、３種類以上の場合は、使用態様が増えるのに伴い、それだけ多数の使用態様毎に測定データを記憶・管理することが可能となる。
【図面の簡単な説明】
【００５１】
【図１】実施形態に係る血圧計の外観斜視図である。
【図２】同血圧計の構成ブロック図である。
【図３】同血圧計の血圧測定処理を示すフロー図である。
【図４】同血圧計の記憶呼出処理を示すフロー図である。
【図５】同血圧計のメモリに記憶される測定データの内容及び記憶形態を示す一例の記憶データ構成図である。
【図６】同血圧計のメモリに記憶される測定データの内容及び記憶形態を示す別例の記憶データ構成図である。
【図７】同血圧計のメモリに記憶される測定データの内容及び記憶形態を示す更に別例の記憶データ構成図である。
【図８】同血圧計の操作部に設けられた電源スイッチに取り付けるスイッチカバーの一例を示す概略断面図（ａ）、及び別例を示す概略断面図（ｂ）である。
【図９】同血圧計の操作部に設けられた電源スイッチに、図８の（ａ）又は（ｂ）のスイッチカバーを取り付ける前の状態を示す要部拡大平面図（ａ）、及び取り付け後の状態を示す要部拡大平面図（ｂ）である。
【図１０】別の実施形態に係る血圧計の操作部に設けられる電源スイッチに一形態のスイッチカードを取り付けるときの状態を示す要部拡大平面図（ａ）、及び別形態のスイッチカードを取り付けるときの状態を示す部分拡大平面図（ｂ）である。
【図１１】更に別の実施形態に係る血圧計の操作部に設けられる電源スイッチにシールを貼付する前の状態を示す要部拡大平面図（ａ）、及び貼付後の状態を示す要部拡大平面図（ｂ）である。
【図１２】更に別の実施形態に係る血圧計の操作部に設けられる電源スイッチに別形態のスイッチカードを取り付けた後の状態を示す要部拡大平面図である。
【図１３】更に別の実施形態に係る血圧計の操作部に設けられる記憶呼出スイッチにスイッチカードを取り付ける前の状態を示す要部拡大平面図（ａ）、及び取り付け後の状態を示す要部拡大平面図（ｂ）である。
【図１４】更に別の実施形態に係る血圧計の操作部に設けられる記憶書込と記憶呼出（読出）を兼ねる記憶書込／呼出スイッチにスイッチカードを取り付ける前の状態を示す要部拡大平面図（ａ）、及び取り付け後の状態を示す要部拡大平面図（ｂ）である。
【図１５】更に別の実施形態に係る血圧計の操作部に設けられる記憶呼出を兼ねる測定／停止スイッチにスイッチカードを取り付ける前の状態を示す要部拡大平面図（ａ）、及び取り付け後の状態を示す要部拡大平面図（ｂ）である。
【符号の説明】
【００５２】
１                血圧計
２                本体
３                カバー
５                カフ（腕帯）
７                表示器（表示手段）
１０              操作部（操作手段）
１１              電源Ａスイッチ（使用態様特定手段）
１２              電源Ｂスイッチ（使用態様特定手段）
１３（ａ，ｂ）    測定／停止スイッチ
１５（ａ，ｂ）    記憶呼出スイッチ
３０              ＣＰＵ（測定データ算出手段）
３１              メモリ（記憶手段）
４０              電源スイッチ
５０，５１        スイッチカバー（固有名称付の使用態様特定手段）
６０，６５        スイッチカード（固有名称付の使用態様特定手段）
７０，７１        シール（固有名称付の使用態様特定手段）
８０，８１        スイッチカード（固有名称付の使用態様特定手段）
９０〜９５        スイッチカード（固有名称付の使用態様特定手段）
【図１】
2007185351.tif 000003
【図２】
2007185351.tif 000004
【図３】
2007185351.tif 000005
【図４】
2007185351.tif 000006
【図５】
2007185351.tif 000007
【図６】
2007185351.tif 000008
【図７】
2007185351.tif 000009
【図８】
2007185351.tif 000010
【図９】
2007185351.tif 000011
【図１０】
2007185351.tif 000012
【図１１】
2007185351.tif 000013
【図１２】
2007185351.tif 000014
【図１３】
2007185351.tif 000015
【図１４】
2007185351.tif 000016
【図１５】
2007185351.tif 000017